(57)【要約】【課題】本発明は、起動、停止部により安定して起動、停止でき、継続動作部で安定して磁束中心の確実な移動を行なうことができるため地震等の外乱に対しても影響を軽減し、更に磁石の本来の磁束分布を変化させないため使用する磁石のコンディショニングと称する再磁化調整が不要なエネルギー装置を提供することを目的とする。【解決手段】上下方向の磁束に対しフリップ・フロップ形式に結合された出力コイル１と出力コイル２に向かって力を加えるため直交して両側に載置された駆動コイル３、駆動コイル４を駆動コイル３＞駆動コイル４、又は駆動コイル３＜駆動コイル４として駆動コイル３、又は駆動コイル４により出力コイル１、出力コイル２へ働く磁束中心の移動の確実な起動、及び継続移動を安定して行なう。【選択図】図１
2010110081.tif 000002
【特許請求の範囲】
【請求項１】
磁束に対しフリップ・フロップ形式に結合されたコイル１とコイル２に直交して、両側
に載置されたコイル３、コイル４を有するエネルギー装置において、
コイル３＞コイル４、又はコイル３＜コイル４として磁束中心の移動の起動をすること
を特徴とするエネルギー装置。
【請求項２】
前記、コイル３＞コイル４、又はコイル３＜コイル４として磁束中心の継続移動をする
ことを特徴とする請求項１項に記載のエネルギー装置。
【請求項３】
前記、コイル３、コイル４をセンタータップ付きコイルとしたことを特徴とする請求項
１、２項に記載のエネルギー装置。
【請求項４】
停止時、前記コイル３、コイル４により磁束中心をコイル１とコイル２の間に停止させ
たことを特徴とする請求項１〜３項記載のエネルギー装置。
【請求項５】
前記、センタータップ付きコイルの選択により起動、継続移動、停止することを特徴と
する請求項１〜４項記載のエネルギー装置。
【発明の詳細な説明】
【技術分野】
【０００１】
本発明は、エネルギー装置に関する。特に起動・継続駆動・停止機能を持ち、地震等の
外乱に対しても影響の少ない、エネルギー装置を提供することにある。
【背景技術】
【０００２】
近年、化石エネルギーの埋蔵量の問題により新しいエネルギー資源が検討されている。
特に可動部のない構成が簡単で出力の大きいエネルギー装置が非特許文献１に示すように
開発されている。
【０００３】
しかし、非特許文献１のエネルギー装置においては、使用する磁石のコンディショニン
グと称して再磁化調整が必要であり特殊技能が必要であるため実用化されていなかった。
また特殊条件での起動、継続駆動、停止を行なっているため地震等の外乱により突然停止
する欠点があった。
【非特許文献１】「  エネルギー革命前夜  」                著作者  三上  皓也                明窓出版株式会社  発行者  増本  利博  平成20年6月25日初版                 PP 181-183
【発明の開示】
【発明が解決しようとする課題】
【０００４】
本発明はこの様な従来の欠点を考慮し、起動・停止部により安定して起動、停止ができ
、継続駆動部で安定して磁束中心の移動を行なうことができるため地震等の外乱に対して
も影響を軽減し、更に磁石の本来の磁束分布を変化させないため従来必要であった使用前
、磁石のコンディショニングと称する再磁化調整が不要となるため実用性のあるエネルギ
ー装置を実現することができる。
【課題を解決するための手段】
【０００５】
上記課題を解決するために、請求項１の本発明では、磁束に対しフリップ・フロップ形
式に結合されたコイル１とコイル２に直交して、両側に載置されたコイル３、コイル４を
有するエネルギー装置において、コイル３＞コイル４、又はコイル３＜コイル４として磁
束中心の確実な移動の起動をすることができる。
【０００６】
請求項２の本発明では、コイル３＞コイル４、又はコイル３＜コイル４として磁束中心
の確実な継続移動をすることができる  
【０００７】
請求項３の本発明では、コイル３、コイル４をセンタータップ付きコイルとして回路を
簡素化することができる。
【０００８】
請求項４の本発明では、停止時、コイル３、コイル４により磁束中心をコイル１とコイ
ル２の間に安定して停止させることができる。
【０００９】
請求項５の本発明では、センタータップ付きコイルの選択により起動、継続移動、停止
の各動作を簡単な構成で確実にすることができる。
【発明の効果】
【００１０】
本発明のエネルギー装置によれば、従来磁石自身の発振等により起動させていたものを
コイル３＞コイル４、又はコイル３＜コイル４の力の差により磁束の移動が確実に開始す
るため安定して起動できるようになった。更に起動後、磁束中心の継続移動をする場合に
おいても、従来はコイルＥＸ１＝コイルＥＸ２のため不安定な状態での継続移動であった
ため地震等の外乱により突然停止するなどの問題があったがコイル３＞コイル４、又はコ
イル３＜コイル４の力の差により磁束中心の移動が確実に交互に継続するため地震等の外
乱の影響を軽減して安定して継続駆動できるようになった。
【００１１】
更に停止動作を従来はコイルＴ１、コイルＴ２に流す電流を継続駆動と逆方向に加える
ことにより無理に停止するため磁石の磁束の乱れを生じさせるため磁石のコンディショニ
ングと称する再磁化調整が必要となっていた。コイル３−１、コイル４−１に大きさが同
じく方向が異なる電流を流すことによりコイル３−１、コイル４−１により発生する大き
さが同じく方向が異なる力により上下方向の磁束中心をコイル１とコイル２の間に停止さ
せることができる。コイル１とコイル２の間に磁束中心を停止させた状態は起動前の状態
と同じとなる。更に磁石の磁束の乱れを生じさせないため磁石は当初の状態が維持される
。このため磁石は最初に磁化された状態と同じであり、コンディショニングと称する再磁
化調整が不要となる。
【発明を実施するための最良の形態】
【００１２】
以下、図１の機能図に従い、本発明を実施するための最良の形態１に係るエネルギー装
置１００を説明する。図１において、フリップ・フロップ形式に結合された出力コイル１
、出力コイル２を挟んで両側９０°の位置に磁束中心の移動を行なうコイル３−１、コイ
ル３−２からなるセンタータップを有する駆動コイル３、コイル４−１、コイル４−２か
らなるセンタータップを有する駆動コイル４が出力コイル１、出力コイル２の両側に載置
されている。
【００１３】
ここで、本最良の形態１のエネルギー装置１００において通電しない状態で上下に磁束
Ｈが流れ、磁束中心が出力コイル１、出力コイル２の間６−６に位置する。
【００１４】
エネルギー装置１００において起動時コイル３−１＋コイル３−２＞コイル４−１、或
はコイル３−１＜コイル４−１＋コイル４−２として駆動コイル３＞駆動コイル４、又は
駆動コイル３＜駆動コイル４の力の差により磁束中心の移動を磁束位置６−６から磁束位
置７−７、或は磁束位置５−５へ開始するため安定して起動することができる。駆動コイ
ル３と反対方向の力を磁束中心に対して働かせる駆動コイル４を同時に駆動する理由とし
ては磁束位置６−６から磁束位置７−７、或は磁束位置５−５の外側に磁束中心が行かな
いように内側に力を働かせている。
【００１５】
エネルギー装置１００において継続駆動時も起動時と同じくコイル３−１＋コイル３−
２＞コイル４−１或はコイル３−１＜コイル４−１＋コイル４−２として駆動コイル３＞
駆動コイル４、又は駆動コイル３＜駆動コイル４の力の差により磁束中心の移動を磁束位
置７−７から磁束位置５−５、磁束位置５−５から磁束位置７−７へ安定して交互に行な
う。磁束中心が出力コイル１、出力コイル２を横切ることにより発生する出力Ａ、Ｂも安
定して出力することができる。駆動コイル３と反対方向の力を磁束中心に対して働かせる
駆動コイル４を同時に駆動する理由としては起動の時と同じく、継続駆動時においても磁
束位置７−７、或は磁束位置５−５の外側に磁束中心が行かないように内側に力を働かせ
ている。
【００１６】
図２は本発明を実施するための最良の形態１に係る図１のエネルギー装置１００の具体
的な回路の１例を示す回路図である。図２の回路図において、フリップ・フロップ形式に
結合された出力コイルＰ１、出力コイルＰ２を挟んで両側９０°の位置に、起動・停止部
として磁束中心の移動を行なうセンタータップを有するコイルＴ１−１、コイルＴ１−２
、コイルＴ２が出力コイルＰ１、出力コイルＰ２の両側に載置されている。
【００１７】
ここで、本最良の形態１のエネルギー装置１００において通電しない状態で上下に磁束
Ｈが流れ、磁束中心が出力コイルＰ１、出力コイルＰ２の間に位置する。起動時、図２の
エネルギー装置１００においてスタート・ストップ・スイッチＳＷ２をスタート側Ｃに入
れる。電池からの電流がパワースイッチＳＷ１を通りコイルＴ１−２→コイルＴ１−１→
コイルＴ２と流れる。この時コイルＴ１−１＋コイルＴ１−２＞コイルＴ２の力の差によ
り磁束中心を出力コイルＰ１、出力コイルＰ２の間から出力コイルＰ２へ移動を開始する
ため安定して確実に起動できる。Ｔ１−１、Ｔ１−２と反対方向の力を磁束中心に対して
働かせるコイルＴ２を同時に駆動する理由としては出力コイルＰ２の外側（Ｔ２側）に磁
束中心が行かないように内側に力を働かせている。また磁束中心が出力コイル２を横切る
ため出力Ａ、Ｂに出力を生じる。
【００１８】
継続動作時、図２においてフリップ・フロップ形式に結合された出力コイルＰ１、出力
コイルＰ２を挟んで両側９０°の位置に、継続駆動部として磁束中心の移動を行なうセン
タータップを有する駆動コイルＥＸ１−１、駆動コイルＥＸ１−２、駆動コイルＥＸ２−
１、駆動コイルＥＸ２−２が出力コイルＰ１、出力コイルＰ２の両側に載置されている。
フリップ・フロップ形式に結合された出力コイルＰ１、出力コイルＰ２にはフィードバッ
ク部として、それぞれ磁束中心の移動時起電力を発生するセンタータップを有するフィー
ドバックコイルＦＢ１−１、フィードバックコイルＦＢ１−２、フィードバックコイルＦ
Ｂ２−１、フィードバックコイルＦＢ２−２が同軸に形成されている。
【００１９】
ここで、図２に示す本最良の形態１のエネルギー装置１００において起動後磁束中心が
出力コイルＰ１、出力コイルＰ２の間から出力コイルＰ２へ移動した時、磁束中心がフィ
ードバック用センタータップを有するフィードバックコイルＦＢ２−１、フィードバック
コイルＦＢ２−２を横切るためフィードバックコイルＦＢ２−１、フィードバックコイル
ＦＢ２−２に起電力を発生して継続駆動部であるセンタータップを有する駆動コイルＥＸ
２−１、駆動コイルＥＸ２−２を流れる。Ｐ１側はフィードバックコイルＦＢ１−１を通
してファードバック電流が流れ、駆動コイルＥＸ１−１に電流が流れＰ１に力が働くが、
駆動コイルＥＸ２−１＋駆動コイルＥＸ２−２＞駆動コイルＥＸ１−１となるため力の差
により磁束がＰ２よりＰ１へ移動する。磁束中心が出力コイルＰ１を横切るため出力Ａ、
Ｂに出力を生じる。磁束のＰ１への移動によりに磁束中心がフィードバック部のセンター
タップを有するフィードバックコイルＦＢ１−１、フィードバックコイルＦＢ１−２を横
切るためフィードバックコイルＦＢ１−１、フィードバックコイルＦＢ１−２には起電力
を発生して、継続駆動部のセンタータップを有する駆動コイルＥＸ１−１、駆動コイルＥ
Ｘ１−２を流れる。Ｐ２側はフィードバックコイルコイルＦＢ２−１により駆動コイルＥ
Ｘ２−１に電流が流れＰ２に力が働くが、駆動コイルＥＸ１−１＋駆動コイルＥＸ１−２
＞駆動コイルＥＸ２−１となるため力の差により磁束中心がＰ１よりＰ２へ移動する。
【００２０】
同様にして磁束中心の出力コイルＰ１、Ｐ２間の移動が確実に安定して継続するため、
従来は駆動コイルＥＸ１＝駆動コイルＥＸ２のため不安定な状態での継続駆動であったた
め地震等の外乱により突然停止するなどの問題があったがセンタータップ付き駆動コイル
ＥＸ１＞駆動コイルＥＸ２又は、駆動コイルＥＸ１＜駆動コイルＥＸ２の力の差により磁
束中心の移動が確実に継続するため地震等の外乱による影響を低減することができる。
【００２１】
停止動作時、図２により本最良の形態１のエネルギー装置１００について説明を行なう
。非特許文献１のＰ１８３に示された考案者である故フロイド・スイート（Floyd Sweet
）直筆の回路図を図３に示すが、図３に示す従来のエネルギー装置（ＶＴＡ）では停止時
には電池からＴ２→Ｔ１とＥＸ１、ＥＸ２の電流に対して反対の方向に電流が流れるよう
にして磁石の磁束中心をＴ１、Ｔ２の外側に押しやるようにして停止していた。このため
停止位置がＴ１，Ｐ１，Ｐ２，Ｔ２のいずれかとなり再起動する時の不安定さとなってい
た。更に停止時に磁石の磁束中心を外側に押しやるようにして停止するため磁石の磁束中
心が変動する原因となっていた。これらによりコンディショニングと称する特殊な技能を
要する磁石の再着磁調整が必要となっていた。本発明のエネルギー装置１００においては
図２に示すようにスタート・ストップ・スイッチＳＷ２を停止側Ｄに入れた時、電池から
パワースイッチＳＷ１を通った電流はＴ１−１→Ｔ２と流れＴ１−１＝Ｔ２で大きさは同
じく方向の異なる力により磁石の磁束中心をＰ１、Ｐ２の中心へ位置するように、そして
Ｐ１、Ｐ２の中心へ停止するように働く。Ｐ１，Ｐ２の中心へ位置するように停止するこ
とは起動前の状態と同じとなり無理なく起動できる効果がある。更に磁石の磁束中心がＰ
１、Ｐ２の中心へ位置するように停止することは磁石にとっても起動前の状態に戻ること
であり従来のようにコンディショニングと称する特殊な技能を要する磁石の再着磁調整が
不要となる。
【００２２】
尚、本発明は、上記実施形態に限定されるものではなく、本発明の趣旨にもとづいて種
々の変形をすることが可能であり、それらを本発明の範囲から除外するものではない。
【００２３】
本発明では、出力コイル１、出力コイル２で直接フリップ・フロップ形式の接続方法に
よる例で説明を行なったが、フリップ・フロップＩＣ等を使用して出力コイル１、出力コ
イル２を個別に駆動する接続方法によっても効果は同一である。
【００２４】
本発明では、起動・停止用に電池を使用した例を示したが、交流電源からの交流を整流
行なった直流を用いても効果は同一である。
【図面の簡単な説明】
【００２５】
【図１】本発明を実施するための最良の形態１に係るエネルギー装置１００の機能図である。
【図２】本発明を実施するための最良の形態１に係るエネルギー装置１００の回路図である。
【図３】従来のエネルギー装置の回路図である。
【符号の説明】
【００２６】
１００：エネルギー装置
１：出力コイル１
２：出力コイル２
３：センタータップ付き駆動コイル３
４：センタータップ付き駆動コイル４
５、６、７：磁束中心位置
Ａ、Ｂ：出力
Ｈ：磁束
ＳＷ１：パワースイッチ
ＳＷ２：スタート・ストップ・スイッチ
【図１】
2010110081.tif 000003
【図２】
2010110081.tif 000004
【図３】
2010110081.tif 000005